(57)【要約】【課題】本発明は、遊技機等の台数を減少することなく、遊技中にあっても手軽に飲料容器、更には小物等の取り上げ、及び載置が可能な飲料容器、小物の載置スペースを遊技者に提供することができる台間メダル貸機の提供にある。【解決手段】遊技機に隣接して設置され、貨幣の投入によって所定枚数のメダルを貸し出す台間メダル貸機において、前記台間メダル貸機の前面に取付けられたメダル供給装置の上端部に、その底面を平坦にした載置スペースを形成した台間メダル貸機。【選択図】        図２
2004229687.tif 000002
【特許請求の範囲】
【請求項１】
遊技機に隣接して設置され、貨幣の投入によって所定枚数のメダルを貸し出す台間メダル貸機において、
前記台間メダル貸機の前面に取付けられたメダル供給装置の上端部に、その底面を平坦にした載置スペースを形成したことを特徴とする台間メダル貸機。
【請求項２】
前記載置スペースの周壁前面に開口部を形成したことを特徴とする請求項１に記載の台間メダル貸機。
【請求項３】
前記載置スペースの底面に、円形段部を介して円形底面を形成したことを特徴とする請求項１又は２に記載の台間メダル貸機。
【発明の詳細な説明】
【０００１】
【発明の属する技術分野】
本発明は、遊技機に隣接して設置される台間メダル貸機に関し、詳しくは、紙コップ、ペットボトル、飲料缶等の飲料容器、更にはタバコ、ライター、携帯電話等の小物等をも載置可能な載置スペースを備えた台間メダル貸機に関する。
【０００２】
【従来の技術】
パチンコホールでは、近年、ペットボトル等の飲料水が手軽に携帯できるようになり、それら飲料水を持ってパチンコホールに入店する遊技客や、入店後に飲料水を購入し、それら飲料水を飲みながらゲームに興じる遊技客が増大している。また、従来よりタバコを吸いながら、更には携帯電話を掛けながら遊技を楽しむ遊技客も多く見かける。このような場合、飲料水の入った飲料容器、タバコ、ライター、携帯電話と言った小物等の載置場所としては、遊技機および台間メダル貸機を載置する載置板の空きスペース等に置かれるものであった。
【０００３】
しかしながら、上記した載置板を飲料容器の載置場所とするものにあっては、しばしば誤って飲料容器を倒してしまう事態が生じていた。また、飲料容器を初め、小物と言ったものは遊技者によってその載置場所がまちまちであることから汚らしい感じを与え、パチンコホールに入店した際に不快感を生じさせるものであった。以上のことから、パチンコホールのイメージアップを図る上でも遊技機の周辺に飲料容器の載置置場が特に求められていた。
【０００４】
これらを解決するものとして、遊技機に１対１で隣接される台間玉貸機にカップホルダが設けられ、遊技客に対し遊技時にサービスを提供する特開平９−１９２３３９号が提案されている。
【０００５】
【発明が解決しようとする課題】
しかし、上記特開平９−１９２３３９号に提案された台間玉貸機にあっては、多種多様のサービスが提供可能なため、機器そのものが大型で、限られた遊技島内のスペースに出来るだけ多くの遊技機を配置しなければならないパチンコホールにあっては、遊技機および台間メダル貸機の台数を減少するか、或いは飲料容器の載置場所というサービスの提供かを選択しなければならなかったと同時に、前記台間玉貸機は、高価なものであった。従って、当該台間玉貸機は、パチンコホールに十二分に受け入れられる商品ではなかった。
【０００６】
本発明の目的は、このような問題点に着目して成したもので、限られた遊技島内でのスペースで、即ち、遊技機等の台数を減少することなく、遊技中にあっても手軽に飲料容器、更には小物等の取り上げ、及び載置が可能な飲料容器、小物の載置スペースを遊技者に提供することができる台間メダル貸機の提供にある。
【０００７】
【課題を解決するための手段】
上記の目的を達成するため、本発明の台間メダル貸機は、遊技機に隣接して設置され、貨幣の投入によって所定枚数のメダルを貸し出す台間メダル貸機において、前記台間メダル貸機の前面に取付けられたメダル供給装置の上端部に、その底面を平坦にした載置スペースを形成したことを特徴とする。
【０００８】
また、本発明の請求項２にかかる台間メダル貸機は、載置スペースの周壁前面に開口部が形成されている。
【０００９】
また、本発明の請求項３にかかる台間メダル貸機は、載置スペースの底面に、円形段部を介して円形底面が形成されている
【００１０】
本発明によれば、メダル供給装置の上端部の空スペースを有効活用することで、従来の製品と同等な大きさで、且つ安価な紙コップ、ペットボトル、飲料缶等の飲料容器、更にはタバコ、ライター、携帯電話と言った小物等の載置スペースを備える台間メダル貸機を提供することができる。
【００１１】
【発明の実施の形態】
以下、図面に示した実施形態に基づいて、本発明を詳細に説明する。
図１は、本発明の台間メダル貸機が設置された遊技機島台を示している。遊技機島台１（以下、スロットマシン島台）は、載置板２と、遊技機３（以下、スロットマシンと記す）および台間メダル貸機４とから構成される。
図２は、本発明の実施形態にかかる台間メダル貸機の正面図。図３は同平面図である。台間メダル貸機４は、スロッマシン３と１対１で隣接して配置され、本体５の前面の上部には紙幣投入口６が設けられており、前面の下部付近にはメダル供給装置７が設けられている。そして、紙幣の投入により所定枚数のメダルを本体５の内部に設けられたメダル払出ホッパー（図示せず）からスロットマシン３の受け皿３ａ内に払い出すものである。
【００１２】
前記メダル供給装置７は、樹脂成形品であって、外筒８と、該外筒８に回転可能に支持され、所定位置で固定する水平方向に回転可能なメダルシュート９と、外筒８の上端部に形成された載置スペース１０とから構成されている。
【００１３】
外筒８は、上記メダル払出ホッパーに連なるメダル口（図示せず）と、下方にメダルシュート９が回転可能な切欠き８ａと、該メダルシュート９を支持するプレート８ｂとから構成されている。
【００１４】
メダルシュート９は、前記外筒８に装着され、例えばスロットマシン３のメンテナンス時等に退避するように、水平方向に回転する円筒状の基部９ａと、スロットマシン３の受け皿３ａへ湾曲しながら傾斜して臨むシュート９ｂとが一体に成形されている。尚、本実施例では、シュート９ｂの上方は開口した状態を示しているが、ゴミ等の異物混入を防止するカバー（図示せず）が装着されるものである。
【００１５】
従って、以上の構成により、本体５のメダル払出ホッパーから払い出されたメダルは隣接するスロットマシン３の受け皿３ａ内に払い出されることになる。
【００１６】
載置スペース１０は、図４および図５に示したように、ペットボトル２０、飲料缶３０等を載置する平坦な底面１０ａと、外筒８の上端縁にあって、ペットボトル２０、飲料缶３０等の滑落を防止する周壁１０ｂと、該周壁１０ｂの前面一部にあって、前記底面１０ａと同一面まで切り欠き、掃除を容易に成らしめる開口部１０ｃとから構成されている。尚、周壁１０ｂは、前方に向かって若干傾斜を成している。このことは、ペットボトル２０、飲料缶３０等の載置、受取を容易にならしめるものである。
【００１７】
図７および図８は、他の実施形態を示したもので、載置スペース１１の底面１１ａには円形段部１２を介して円形底面１２ａが形成されている。そして、例えば底面１１ａにはペットボトル２０が、円形底面１２ａには飲料缶３０がその下端周面を支持するように載置される。尚、周壁１１ｂは、第１の実施例と同様に、その前面一部に開口部１１ｃを有し、且つ、前方に向かって傾斜して形成されている。
【００１８】
前記載置スペース１０，１１は、外筒８の上端部に一体成形されたものであるが、外筒８は別体で、着脱自在に載置スペース１０，１１を構成しても良い。
【００１９】
また、上記載置スペース１０，１１については、ペットボトル２０、飲料缶３０等の飲料容器の載置について説明したが、これら容器のみならず、タバコ、ライター、携帯電話等の小物の載置としても活用できるものである。
【００２０】
【発明の効果】
以上に説明したように、メダル供給装置の上端部の空スペースに載置スペースを形成し、紙コップ、ペットボトル、飲料缶等の飲料容器、更にはこれら以外の小物を載置できるようにした安価で、別途特別なカップホルダを必要としない台間メダル貸機を提供することができる。
【００２１】
【図面の簡単な説明】
【図１】本発明の実施形態としての遊技機島台を示す正面図である。
【図２】本発明の実施形態にかかる台間メダル貸機の正面図である。
【図３】本発明の実施形態にかかる台間メダル貸機の平面図である。
【図４】本発明の実施形態としてのペットボトルを載置したメダル供給装置を示す正面図である。
【図５】本発明の実施形態としてのを飲料缶を載置したメダル供給装置を示す正面図である
【図６】本発明の他の実施形態にかかるメダル供給装置の斜視図である。
【図７】本発明の他の実施形態としてのペットボトルを載置したメダル供給装置を示す正面図である。
【図８】本発明の他の実施形態としての飲料缶を載置したメダル供給装置を示す正面図である。
【符号の説明】
１      遊技機島台
２      載置板
３      遊技機（スロットマシン）
４      台間メダル貸機
５      本体
７      メダル供給装置
８      外筒
９      メダルシュート
１０      載置スペース
１０ａ    底面
１０ｂ    周壁
１０ｃ    開口部
１１      載置スペース
１１ａ    底面
１１ｂ    周壁
１１ｃ    開口部
１２      円形段部
１２ａ    円形底面
【図１】
2004229687.tif 000003
【図２】
2004229687.tif 000004
【図３】
2004229687.tif 000005
【図４】
2004229687.tif 000006
【図５】
2004229687.tif 000007
【図６】
2004229687.tif 000008
【図７】
2004229687.tif 000009
【図８】
2004229687.tif 000010